Podtech/llm-jp-corpus-v4-ja_patent huggingface dataset:
【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
化粧品配合物におけるUVフィルターとしての、下式の化合物の使用。
【化１】
2007536332.tif 000001
(式中、
R1-R3は、相互に独立して、水素、C1-C8-アルキルまたはC1-C8-アルコキシであり、
R4は、COR、CO2R、CONR2であって、式中のRはC1-C8-アルキルまたはC3-C8-シクロアルキルであり、
R5は、HまたはC1-C8-アルキルであり、
R6は、アリール、３個までのC1-C8-アルキルまたはC1-C8-アルコキシで置換されたアリール、またはC3-C8-シクロアルキルであり、
R4がCORの場合には、R5はHである。)
【請求項２】
式中の、
R1-R3が、相互に独立して、水素、C1-C8-アルキルまたはC1-C8-アルコキシであり、
R4が、CO2Rであって、式中のRがC1-C8-アルキルであり、
R5が、HまたはC1-C8-アルキルであり、
R6が、アリールまたは３個までのC1-C8-アルキルまたはC1-C8-アルコキシで置換されたアリールである
請求項１記載の使用。
【請求項３】
式中の、
R1が、メトキシであり、
R2及びR3が、Hであり、
R4が、CO2Rであって、式中のRがC2-C5-アルキルであり、かつ
R6が、フェニルでまたは３個までのC1-C8-アルキルまたはC1-C8-アルコキシで置換されたフェニルである
請求項１または２記載の使用。
【請求項４】
式中の、
R1が、置換基R4、R5及びR6の結合する基に対してパラ位に位置するメトキシであり、
R2及びR3が、Hであり、
R4が、CO2Rであって、式中のRがC4-C5-アルキルであり、
R5が、HまたはC1-C8-アルキルであり、かつ
R6が、フェニルである
請求項１乃至３のいずれかに記載の使用。
【請求項５】
式中の、
R6がC3-C8-シクロアルキルである
請求項１記載の使用。
【請求項６】
式中の、
R6がシクロヘキシルである
請求項５記載の使用。
【請求項７】
式中の、
R4がCO2Rであって、式中のRがC1-C8-アルキルである
請求項５または６記載の使用。
【請求項８】
式中の、
R4がCO2Rであって、式中のRがエチルである
請求項５、６または７のいずれかに記載の使用。
【請求項９】
- UV吸収剤としての、１種以上の請求項１乃至８のいずれかに記載の式Iの化合物
を含む化粧品または皮膚用配合物。
【請求項１０】
-１種以上の更なるUV吸収剤、
及び/または
- 塗膜付きまたは塗膜なしの金属酸化物の顔料
を更に含む請求項９記載の化粧品または皮膚用配合物。
【請求項１１】
前記使用されるUV吸収剤及び顔料が、配合物の日焼け防止指数が相乗的に増大するように相互作用するように選択されて、特定の相対量に調整される請求項１０記載の化粧品または皮膚用配合物。
【請求項１２】
前記使用されるUV吸収剤が、配合物の臨界波長λcrit.が＞３８０nmであるように選択されて、特定の相対量に調整される請求項１０記載の化粧品または皮膚用配合物。
【請求項１３】
下式の化合物。
【化２】
2007536332.tif 000002
(式中、
R1は、置換基R4、R5及びR6の結合する基に対してパラ位に位置するC1-C8-アルコキシであり、
R2及びR3は、Hであり、
R4は、CO2Rであって、式中のRがC1-C8-アルキルであり、
R5は、Hであり、
R6は、フェニルまたはシクロヘキシルである。)
【請求項１４】
式中の、
R4が、CO2Rであって、式中のRがメチル、エチル、n-プロピル、iso-プロピル、n-ブチル、sec-ブチル、iso-ブチル、tert-ブチルまたはiso-アミルであり、かつ
R6が、フェニルである
請求項１３記載の化合物。
【請求項１５】
式中の、
R4が、CO2Rであって、式中のRがメチル、エチル、n-プロピル、iso-プロピル、n-ブチル、sec-ブチル、iso-ブチルまたはtert-ブチルであり、かつ
R6が、シクロヘキシルである
請求項１４記載の化合物。
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
積層鋼板から成るステータ（１１）を有するハウジング（１）と、ロータ軸（１３）が軸受ブラケット（４、５）に設置された軸受（９）で回転可能に支持されたロータ（１２）と、ハウジング（１）内における冷却通路（８）とを備えた液冷式冷却系を有する電気機械において、
ハウジング（１）を、各ハウジング部分（２、３）が軸受ブラケット（５、４）を有するように２分割構造に形成し、両ハウジング部分（２、３）を、該両ハウジング部分（２、３）が組み合わされた際に冷却通路（８）を形成し、冷却材流が渦巻き状または蛇行状にステータの周りに案内されるように構成したことを特徴とする
電気機械。
【請求項２】
冷却通路（８）が軸方向に延び、或いは冷却コイル（２４）として形成されたことを特徴とする請求項１記載の電気機械。
【請求項３】
ハウジング部分（２、３）がダイキャスト部品から成ることを特徴とする請求項２記載の電気機械。
【請求項４】
冷却通路（８）の転向部（１０）が、両ハウジング部分（２、３）のはめ込み結合により冷却通路（８）の先端に形成されたことを特徴とする請求項１から３の１つに記載の電気機械。
【請求項５】
両ハウジング部分（２、３）が管状はめ込み結合により冷却通路（８）を形成し、それに応じて、冷却回路の外側に対するシール箇所が２つしか存在しないことを特徴とする請求項１から４の１つに記載の電気機械。
【請求項６】
各ハウジング部分（２、３）が、Ｏリング（６、７）を配置するための周溝を備えることを特徴とする請求項５記載の電気機械。
【請求項７】
ＡＳ・シールドへのハウジング部分（２、３）のボルト結合（１９）が行われたことを特徴とする請求項１から６の１つに記載の電気機械。
【手続補正２】
【補正対象書類名】図面
【補正対象項目名】図１
【補正方法】変更
【補正の内容】
【図１】
2007536887.tif 000001
【手続補正３】
【補正対象書類名】図面
【補正対象項目名】図５
【補正方法】変更
【補正の内容】
【図５】
2007536887.tif 000002
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
制御ユニットを介して負荷に電圧を加えるためのシステムであって、前記負荷が電力ネットワークから電圧を加えられ、
それぞれが、電源スイッチ（１１）と、接続要素（１０）に電気的に結合されたそれぞれの隣接する負荷の電圧を遮断したり該負荷に電圧を加えたりして電源スイッチを開状態および閉状態に導くために、電源スイッチに動作可能に接続された処理ユニット（１２）とを備えた接続要素（１０）と、
電力ネットワーク（２）に接続されて、接続要素（１０）と制御ユニット（３）の共用である加電圧手段を画成するように配置された１対の電気導線（２１）と、
電力ネットワーク（２）から電気的に絶縁されておらず、処理ユニット（１２）と制御ユニット（３）の共用であり、制御ユニット（３）が処理ユニット（１２）を介して、コーディングされた電気信号によって各それぞれの電源スイッチ（１１）の開閉を指示することができるようにするために処理ユニットおよび制御ユニットを接続する信号導線（２２）と
を備えることを特徴とする、システム。
【請求項２】
各接続要素（１０）が、信号導線（２２）を介した制御ユニット（３）と各処理ユニット（１２）の間のシリアル通信に同期性を与えるために、それぞれの処理ユニット（１２）に関連付けられた、電力ネットワーク（２）のゼロ電圧を検出するためのセンサ（１６）を備えることを特徴とする、請求項１に記載のシステム。
【請求項３】
信号導線（２２）が、１対の電気導線（２１）に沿って配置されることと、それらが全ての接続要素（１０）および制御ユニット（３）を通って一緒に進むことを特徴とする、請求項１に記載のシステム。
【請求項４】
信号導線（２２）が、制御ユニット（３）を、前記加電圧システムを備えた電気器具の動作条件を表す信号を提供する少なくとも１つのセンサ（１６）に動作可能に接続することを特徴とする、請求項１に記載のシステム。
【請求項５】
各接続要素（１０）が、それぞれが１対の電気導線（２１）から、また信号導線（２２）から選択された導線を取り外し可能に結合するインレット端子（１３）であって、電気導線（２１）に関連付けられたインレット端子（１３）のうちの１つが電源スイッチ（１１）に動作可能に接続されるインレット端子（１３）と、アウトレット端子（１４）であって、それらのうちの１つが前記電源スイッチ（１１）に動作可能に接続され、その他がその他のインレット端子（１３）に直接接続され、それぞれの負荷に取り外し可能に結合されるアウトレット端子（１４）とを収容するボディを備えることを特徴とする、請求項１に記載のシステム。
【請求項６】
各接続要素（１０）が、接続要素（１０）の低電圧での加電圧の動作、および前記処理ユニット（１２）と制御ユニット（３）の間の双方向シリアル通信の動作のうちの少なくとも１つを可能にするために、加電圧インレット端子（１３）、通信インレット端子（１３）および処理ユニット（１２）に動作可能に接続されたシリアルインターフェース（１５）をさらに備えることを特徴とする、請求項１に記載のシステム。
【請求項７】
制御ユニット（３）に結合された接続要素（１０）が、加電圧インレット端子（１３）のうちの１つに電気的に接続されたインレットを有する電源（１７）を備え、その結果、制御ユニット（３）が負荷に動作可能に結合された接続要素（１０）との双方向シリアル通信の動作、および接続要素（１０）への通信信号導線（２２）を介した低電圧の供給を可能にすることを特徴とする、請求項６に記載のシステム。
【請求項８】
負荷に動作可能に結合された接続要素（１０）がそれぞれ、双方向シリアル通信の動作、および通信信号導線（２２）からそれぞれの接続要素（１０）の内部回路への低電圧での電源電圧の抽出の動作を可能にするシリアルインターフェース（１５）を備えることを特徴とする、請求項６に記載のシステム。
【請求項９】
負荷に動作可能に関連付けられた各接続要素（１０）が、加電圧インレット端子（１３）のうちの１つに電気的に接続されたインレット、およびそれぞれの接続要素（１０）の内部回路に電気的に接続されたアウトレットを有する電源（１７）を備えることを特徴とする、請求項７に記載のシステム。
【請求項１０】
制御ユニットを介して負荷に電圧を加えるための方法であって、前記負荷が電力ネットワークから電圧を加えられ、
ａ  １対の電気導線（２１）によって電力ネットワーク（２）を制御ユニット（３）に接続するステップと、
ｂ  各負荷を前記１対の電気導線（２１）にそれぞれの電源スイッチ（１１）を介して電気的に接続するステップと、
ｃ  前記それぞれの電源スイッチ（１１）を開状態および閉状態に導くように設計されたそれぞれの処理ユニット（１２）を各電源スイッチ（１１）に動作可能に関連付けるステップと、
ｄ  前記処理ユニット（１２）を介してそれぞれの電源スイッチ（１１）の開状態および閉状態を指示するために、電力ネットワーク（２）から電気的に絶縁されておらず、前記ユニットの共用である、ただ１つの単一導線（２２）を介して、制御ユニット（３）を処理ユニット（１２）に接続するステップと
を備えることを特徴とする、方法。
【請求項１１】
ステップ「ｄ」では、電源スイッチ（１１）を動作させるための指示が、電力ネットワーク電圧がゼロを通過するとき同期されることを特徴とする、請求項１０に記載の方法。
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）内で増強されたアップリンク（ＥＵ）データ送信を支援するため、複数のハイブリッド自動反復要求（Ｈ−ＡＲＱ）プロセスを割当てる方法であって、当該方法は、
（ａ）送信のためにデータを選択するステップと、
（ｂ）もし、選択されたデータが前に送信されたならば、選択されたデータを前に送信するために使用されたのと同じＨ−ＡＲＱを使用して、選択されたデータを再送信するステップと、
（ｃ）もし、選択されたデータが前に送信されていない新しいデータならば、選択されたデータの送信を支援するために利用可能なＨ−ＡＲＱプロセスを割当てるステップと、
（ｄ）ＷＴＲＵが割当てられたＨ−ＡＲＱプロセスを使用して選択されたデータを送信するステップと、
を備えることを特徴とする方法。
【請求項２】
（ｅ）もし、選択されたデータの送信が成功であるということを示すフィードバック情報をＷＴＲＵが受信したならば、割当てられたＨ−ＡＲＱプロセスを解放するステップ、
をさらに備えることを特徴とする請求項１に記載の方法。
【請求項３】
（ｅ）もし、選択されたデータの送信が不成功であるということを示すフィードバック情報をＷＴＲＵが受信したならば、選択されたデータを再送信するステップ、
をさらに備えることを特徴とする請求項１に記載の方法。
【請求項４】
（ｆ）もし、最大数回、選択されたデータの送信が不成功であるならば、選択されたデータを破棄して割当てられたＨ−ＡＲＱプロセスを解放するステップ、
をさらに備えることを特徴とする請求項３に記載の方法。
【請求項５】
ＷＴＲＵが、割当てられたＨ−ＡＲＱプロセスに関連した送信数を示す送信カウンタを含み、
（ｆ）選択されたデータが送信される毎にＷＴＲＵ内の送信カウンタを増分するステップと、
（ｇ）もし、最大数回、選択されたデータの送信が不成功であるならば、送信カウンタをゼロに設定し、そして新しいデータを示すために新データ指示子（ＮＤＩ）を設定するステップと、
をさらに備えることを特徴とする請求項３に記載の方法。
【請求項６】
ステップ（ａ）で選択されたデータが、送信に利用可能な他のいかなるデータよりもより高い優先度を有することを特徴とする請求項１に記載の方法。
【請求項７】
もし、選択されたより高い優先度のデータの送信を支援するためにＨ−ＡＲＱプロセスが利用可能でなければ、
（ｅ）より低い優先度のデータの送信を中断するステップと、
（ｆ）中断された送信を支援するために使用されたＨ−ＡＲＱプロセスを選択されたより高い優先度のデータに再割当てするステップと、
をさらに備えることを特徴とする請求項６に記載の方法。
【請求項８】
ステップ（ｂ）が、古いデータを示すために新データ指示子（ＮＤＩ）を設定することをさらに含むことを特徴とする請求項１に記載の方法。
【請求項９】
ステップ（ｃ）が、新しいデータを示すために新データ指示子（ＮＤＩ）を設定することをさらに含むことを特徴とする請求項１に記載の方法。
【請求項１０】
ＷＴＲＵが、データの絶対的優先度に基づいて送信のためのデータを選択することを特徴とする請求項１に記載の方法。
【請求項１１】
絶対的優先度が、各ＥＵトランスポートチャンネル（ＴｒＣＨ）、専用チャンネルのための媒体アクセス制御（ＭＡＣ−ｄ）フロー及び論理チャンネルに対して構成されていることを特徴とする請求項１０に記載の方法。
【請求項１２】
同じ優先度を持つ複数のデータブロックが存在する時、ＷＴＲＵがもっとも早いシーケンス番号のデータブロックを選択することを特徴とする請求項１０に記載の方法。
【請求項１３】
同じ優先度を持つ複数のデータブロックが存在する時、ＷＴＲＵがもっとも高い数のＨ−ＡＲＱ送信を持つデータブロックを選択することを特徴とする請求項１０に記載の方法。
【手続補正書】
【提出日】平成20年4月30日(2008.4.30)
【手続補正１】
【補正対象書類名】特許請求の範囲
【補正対象項目名】請求項１３
【補正方法】変更
【補正の内容】
【請求項１３】
無線送受信装置（ＷＴＲＵ）および少なくとも１つのノードＢを含む無線通信システムにおいて、拡張専用チャンネル（Ｅ−ＤＣＨ）のデータ送信を支援するために、前記ＷＴＲＵ内の少なくとも１つのデータライフスパンタイマーを利用する方法であって、
（ａ）前記ＷＴＲＵ内のバッファに送信すべきデータブロックを格納すること、
（ｂ）ハイブリッド自動再送要求（Ｈ−ＡＲＱ）プロセスを割り当て、前記データブロックの送信を支援すること、
（ｃ）前記データブロックに対してデータライフスパンタイマーを起動すること、
（ｄ）前記データブロックがすでに送信されたが、前記ノードＢにより成功裡に受信されなかった場合、設定された再送信制限に到達したか否かを判定すること、
（ｅ）再送信制限に到達し、かつライフスパンタイマーが満了しなかった場合、前記Ｈ−ＡＲＱプロセスを再び初期化すること、および
（ｆ）前記再送信制限に到達せず、前記データライフスパンタイマーが満了直前でない場合、前記データブロックの送信に対する通常のＨ−ＡＲＱ操作を初期化すること
を含むことを特徴とする方法。
【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
多数のレベルの運用、管理、および保守（ＯＡＭ）ドメインを有するイーサネット（登録商標）ネットワーク内の故障情報を伝播する方法であって、各ＯＡＭドメインが、複数の保守中間点（ＭＩＰ）ノードの境界となる保守終了点（ＭＥＰ）ノードによって境界を定められ、
第１のＯＡＭドメインの境界となる少なくとも１つのＭＥＰノードによる受信に対する故障を検出すると、第１のＯＡＭドメイン内に配置された少なくとも１つのＭＩＰノードによって、第１のイーサネット（登録商標）アラーム指示および抑制（ＡＩＳ）フレームを伝送すること、ならびに
前記第１のイーサネット（登録商標）ＡＩＳフレームを受信すると、前記少なくとも１つのＭＥＰノードによって、第２のＯＡＭドメインへの伝送用の第２のイーサネット（登録商標）ＡＩＳフレームを生成することを含み、前記第２のイーサネット（登録商標）ＡＩＳフレームが、前記第１のＯＡＭドメイン内で故障が検出されたという指示を含み、前記第２のＯＡＭドメインが、前記第１のＯＡＭドメインに比べてより高い階層レベルに配置される、方法。
【請求項２】
前記第１および第２のＯＡＭドメインが、それぞれ、オペレータレベルおよびプロバイダレベルのＯＡＭドメインから構成される、請求項１に記載の多数のＯＡＭドメインを有するイーサネット（登録商標）ネットワーク内の故障情報を伝播する方法。
【請求項３】
前記第１および第２のＡＩＳフレームが、異なるフレームシーケンス番号を有して生成される、請求項１に記載の多数のＯＡＭドメインを有するイーサネット（登録商標）ネットワーク内の故障情報を伝播する方法。
【請求項４】
前記第１のＡＩＳフレームが、前記少なくとも１つのＭＩＰに関連づけられたリンクにおける故障の検出に応答して生成される、請求項１に記載の多数のＯＡＭドメインを有するイーサネット（登録商標）ネットワーク内の故障情報を伝播する方法。
【請求項５】
前記第１のＡＩＳフレームが、前記少なくとも１つのＭＩＰに関連づけられたリンクにおける輻輳状態の検出に応答して、前記少なくとも１つのＭＩＰによって生成される、請求項１に記載の多数のＯＡＭドメインを有するイーサネット（登録商標）ネットワーク内の故障情報を伝播する方法。
【請求項６】
前記少なくとも１つのＭＩＰノードが、前記故障の場所の次に配置される、請求項１に記載の多数のＯＡＭドメインを有するイーサネット（登録商標）ネットワーク内の故障情報を伝播する方法。
【請求項７】
前記第１のＡＩＳフレームが、前記第１のＯＡＭドメイン内部の前記少なくとも１つのＭＩＰノードによってマルチキャストされる、請求項１に記載の多数のＯＡＭドメインを有するイーサネット（登録商標）ネットワーク内の故障情報を伝播する方法。
【請求項８】
前記第２のＯＡＭドメイン内で受信される前記第１のＡＩＳフレームに応答して、前記第２のＯＡＭドメイン内の導通試験（ＣＣ）フレームの損失によって引き起こされるアラームの生成を抑制することをさらに含む、請求項１に記載の多数のＯＡＭドメインを有するイーサネット（登録商標）ネットワーク内の故障情報を伝播する方法。
【請求項９】
前記第１のＯＡＭドメイン内のさらなる故障の検出に応答して、前記第１のＯＡＭドメイン内に配置された他のＭＩＰノードの少なくとも一部分によって、追加ＡＩＳフレームを生成すること、
前記第１のＯＡＭドメインの境界となる前記少なくとも１つのＭＥＰノードに、前記追加ＡＩＳフレームを伝送すること、ならびに
前記少なくとも１つのＭＥＰノードによって前記追加ＡＩＳフレームおよび前記第１のＡＩＳフレームを合体させて、前記第２のＯＡＭドメインへの伝送用の１つの第２のＡＩＳフレーム信号を生成することをさらに含む、請求項１に記載の多数のＯＡＭドメインを有するイーサネット（登録商標）ネットワーク内の故障情報を伝播する方法。
【請求項１０】
多数のレベルの運用、管理、および保守（ＯＡＭ）ドメインを有するイーサネット（登録商標）ネットワーク内の故障情報を伝播するシステムであって、各ＯＡＭドメインが、複数の保守中間点（ＭＩＰ）ノードの境界となる保守終了点（ＭＥＰ）ノードによって境界を定められ、
第１のＯＡＭドメインの境界となる少なくとも１つのＭＥＰノードへの伝送に対する故障を検出すると、第１のＯＡＭドメイン内に配置された少なくとも１つのＭＩＰノードによって、第１のイーサネット（登録商標）アラーム指示および抑制（ＡＩＳ）フレームを生成する手段と、
前記第１のイーサネット（登録商標）ＡＩＳフレームを受信すると動作可能になる、前記少なくとも１つのＭＥＰノードによって、第２のＯＡＭドメインへの伝送用の第２のイーサネット（登録商標）ＡＩＳフレームを生成する手段とを備え、前記第２のイーサネット（登録商標）ＡＩＳフレームが、前記第１のＯＡＭドメイン内で故障が検出されたという指示を含み、前記第２のＯＡＭドメインが、前記第１のＯＡＭドメインに比べてより高い階層レベルに配置される、システム。
【請求項１１】
前記第１および第２のＯＡＭドメインが、それぞれ、オペレータレベルおよびプロバイダレベルのＯＡＭドメインから構成される、請求項１０に記載の多数のＯＡＭドメインを有するイーサネット（登録商標）ネットワーク内の故障情報を伝播するシステム。
【請求項１２】
前記第１および第２のＡＩＳフレームが、異なるフレームシーケンス番号を有して生成される、請求項１０に記載の多数のＯＡＭドメインを有するイーサネット（登録商標）ネットワーク内の故障情報を伝播するシステム。
【請求項１３】
前記第１のＡＩＳフレームが、前記少なくとも１つのＭＩＰに関連づけられたリンクにおける故障の検出に応答して生成される、請求項１０に記載の多数のＯＡＭドメインを有するイーサネット（登録商標）ネットワーク内の故障情報を伝播するシステム。
【請求項１４】
前記第１のＡＩＳフレームが、前記少なくとも１つのＭＩＰに関連づけられたリンクにおける輻輳状態の検出に応答して、前記少なくとも１つのＭＩＰによって生成される、請求項１０に記載の多数のＯＡＭドメインを有するイーサネット（登録商標）ネットワーク内の故障情報を伝播するシステム。
【請求項１５】
前記少なくとも１つのＭＩＰノードが、前記故障の場所の次に配置される、請求項１０に記載の多数のＯＡＭドメインを有するイーサネット（登録商標）ネットワーク内の故障情報を伝播するシステム。
【請求項１６】
前記第１のＯＡＭドメイン内のさらなる故障の検出に応答して、追加ＡＩＳフレームを生成する、他のＭＩＰノードの少なくとも一部分に関連づけられた手段と、
前記第１のＯＡＭドメインの境界となる前記少なくとも１つのＭＥＰノードに、前記追加ＡＩＳフレームを伝送する手段と、
前記少なくとも１つのＭＥＰノードによって前記追加ＡＩＳフレームおよび前記第１のＡＩＳフレームを合体させて、前記第２のＯＡＭドメインへの伝送用の１つの第２のＡＩＳフレーム信号を生成する手段とをさらに備える、請求項１０に記載の多数のＯＡＭドメインを有するイーサネット（登録商標）ネットワーク内の故障情報を伝播するシステム。
【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
ターゲットデバイスのためのオーバプリントされたグラフィックドキュメントを色整合する方法であって、
それぞれのグラフィックエレメントが少なくとも１つの色を含む複数のグラフィックエレメントを含むオーバプリントされたグラフィックドキュメントを取得するステップと、
それぞれの寄与しているグラフィックエレメントがオーバプリント領域に少なくとも幾つかの色を与える複数の寄与しているグラフィックエレメントがオーバラップするエリアに対応する少なくとも１つのオーバプリント領域を識別するために、前記複数のグラフィックエレメントを調べるステップと、
複数のグラフィックエレメントタイプからオーバプリントグラフィックエレメントを選択するステップと、
対応するオーバプリント領域でペイントする前記オーバプリントグラフィックエレメントタイプの少なくとも１つのオーバプリントグラフィックエレメントを作成するステップと、
前記オーバプリントグラフィックエレメントについて少なくとも１つの色を確定するステップと、
前記少なくとも１つのオーバプリントグラフィックエレメントを前記オーバプリントされたグラフィックエレメントに加えることで、修正されたドキュメントを作成するステップと、
を含むことを特徴とする方法。
【請求項２】
ターゲットデバイスについてオーバプリントされたグラフィックドキュメントを色整合するシステムであって、
少なくとも１つの色を含むグラフィックエレメントを有するオーバプリントされたグラフィックドキュメントにアクセスする手段と、
それぞれの寄与しているグラフィックエレメントが前記オーバプリント領域に色を与える複数の寄与しているグラフィックエレメントがオーバラップするエリアに対応する少なくとも１つのオーバプリント領域を識別するために前記複数のグラフィックエレメントを調べる手段と、
オーバプリントグラフィックエレメントが対応するオーバプリント領域でペイントする少なくとも１つのオーバプリントグラフィックエレメントを作成する手段であって、複数のグラフィックエレメントタイプからオーバプリントグラフィックエレメントタイプを選択する手段を含む作成手段と、
オーバプリントグラフィックエレメントについて少なくとも１つの色を確立する手段と、
前記少なくとも１つのオーバプリントグラフィックエレメントを前記オーバプリントされたグラフィックドキュメントに加えることで、修正されたドキュメントを作成する手段と、
前記修正されたドキュメントにおける少なくとも１つの色をターゲットカラーに変換することで、色整合されたドキュメントを生成する手段と、
を有することを特徴とするシステム。
【請求項３】
ターゲットデバイスについてオーバプリントされたグラフィックドキュメントを色整合する装置であって、
当該装置は、
オーバプリントされたドキュメントから修正されたドキュメントを生成するために作用するオーバプリントエンジンを有し、
前記オーバプリントエンジンは、
複数のグラフィックエレメントを有するオーバプリントされたグラフィックドキュメントを取得し、それぞれの寄与しているグラフィックエレメントがその色の幾つかの部分を与える複数の寄与しているグラフィックエレメントがオーバラップするエリアに対応する少なくとも１つのオーバプリント領域を決定するために前記複数のグラフィックエレメントを調べるために作用するグラフィックエレメントアナリシスエンジンと、
オーバプリントグラフィックエレメントが対応するオーバプリント領域でペイントする少なくとも１つのオーバプリントグラフィックエレメントを作成し、前記作成は複数のグラフィックエレメントタイプからオーバプリントグラフィックエレメントタイプを選択することを含み、オーバプリントグラフィックエレメントについて少なくとも１つの色を確立し、前記少なくとも１つのオーバプリントグラフィックエレメントを前記オーバプリントされたグラフィックドキュメントに加えることで、修正されたドキュメントを作成するために作用するオーバプリントグラフィックエレメントジェネレータと、
前記修正されたドキュメントにおける少なくとも１つの色をターゲットカラーに変換するために作用するカラーマッチャーと、
を有することを特徴とする装置。
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
シングルステップのユーザインターフェイスおよびこのためのソフトウェアを使用して、カラー画像を出力する標準スキャナまたは関連装置の簡単なワンタッチ較正方法。
【請求項２】
較正が、前記スキャナまたは関連装置にカラーターゲットを挿入することに依存する請求項１に記載の方法。
【請求項３】
カラーターゲット上のカラーの取得および変換に使用される専用アルゴリズムを含む計算機プログラム。
【請求項４】
較正のテスト・エリアを決定するために、前記カラーターゲット上にクロップマークを設置した後で、前記取得を実行する請求項３に記載の計算機プログラム。
【請求項５】
前記スキャナまたは関連装置のメーカが作成したカラー座標に照らして、前記カラーターゲット上のカラーを比較および最適化する変換アルゴリズムをさらに含む請求項４に記載の計算機プログラム。
【請求項６】
前記計算機プログラムは、ユーザインターフェイスの表示をさらに含み、較正オプションをユーザが選択できる請求項３に記載の計算機プログラム。
【請求項７】
選択方法が、インターフェイスのアイコンをクリックすることにより較正を開始するユーザ用オプションを含む請求項６に記載の計算機プログラム。
【請求項８】
カラー・ガンマを増加または減少させる選択方法をさらに含む請求項６に記載の計算機プログラム。
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
ペプチド、および／または低分子アジュバント、および／またはタンパク質、および／または核酸抗原性因子の、混合物
を含む、粒子状ワクチン処方物。
【請求項２】
請求項１に記載の処方物であって、ナノ粒子を含む、処方物。
【請求項３】
請求項２に記載の処方物であって、前記ナノ粒子の凝集物を含む、処方物。
【請求項４】
請求項１に記載の処方物であって、前記タンパク質および核酸抗原性因子は、該処方物から別々の時間に放出される、処方物。
【請求項５】
請求項１に記載の処方物であって、該処方物は、抗原性因子の徐放を提供する、処方物。
【請求項６】
請求項１に記載の処方物であって、前記抗原性因子は、マラリア抗原性因子であるかまたはマラリア抗原性因子をコードする、処方物。
【請求項７】
粒子状ワクチン処方物を生成するための方法であって、該方法は、
タンパク質抗原および核酸抗原を含む、ナノ粒子またはマイクロ粒子を生成する工程；を包含する、方法。
【請求項８】
請求項７に記載の方法であって、前記粒子は、噴霧乾燥によって生成される、方法。
【請求項９】
請求項７に記載の方法であって、前記粒子は、脂質および抗原を含む、方法。
【請求項１０】
ワクチン接種するための、請求項１〜６のうちのいずれか１項に記載の処方物。
【請求項１１】
請求項１０に記載の処方物であって、該処方物は、肺経路によって投与されることを特徴とする、処方物。
【請求項１２】
請求項１０に記載の処方物であって、該処方物は、注射によって投与されることを特徴とする、処方物。
【請求項１３】
請求項１０に記載の処方物であって、該処方物は、経口投与されることを特徴とする、処方物。
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
ポリグリコールと組み合わせたヒアルロナンを含む組成物。
【請求項２】
ヒアルロナン調製物の製造方法であって、以下の工程
(A)ヒアルロナンとポリグリコールとを組み合わせる工程
を含むことを特徴とする方法。
【請求項３】
ヒト又は動物被験者における疾患又は眼科障害のための医薬組成物であって、ポリグリコールと組み合わせたヒアルロナンを含む治療的に有効量の調製物を含むことを特徴とする組成物。
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
少なくとも約8ヌクレオチドの長さのオリゴデオキシヌクレオチドの治療上有効量を含有する、被験体における眼の炎症性プロセスを治療するための薬学的組成物であって、前記オリゴデオキシヌクレオチドが、G-四分子を形成し、オリゴデオキシヌクレオチドが、約2.9を超えるCD値を有し、かつオリゴヌクレオチドが、少なくとも2つのグアノシンを含むことを特徴とする薬学的組成物。
【請求項２】
局所的、非経口的、経口的、静脈内、筋肉内、皮下、吸入、腹腔内、経鼻、局所的、または硝子体内により投与される、請求項1記載の薬学的組成物。
【請求項３】
オリゴデオキシヌクレオチドが、約3.0を超えるCD値を有する、請求項1記載の薬学的組成物。
【請求項４】
オリゴデオキシヌクレオチドが、約3.2を超えるCD値を有する、請求項1記載の薬学的組成物。
【請求項５】
オリゴデオキシヌクレオチドが、約8〜約120の長さのヌクレオチドである、請求項1記載の薬学的組成物。
【請求項６】
オリゴデオキシヌクレオチドが、約10〜約30の長さのヌクレオチドである、請求項5記載の薬学的組成物。
【請求項７】
オリゴデオキシヌクレオチドが、複数のグアノシンに富む配列を含む、請求項1記載の薬学的組成物。
【請求項８】
オリゴデオキシヌクレオチドが、約2〜約20個のグアノシンに富む配列を含む、請求項7記載の薬学的組成物。
【請求項９】
オリゴデオキシヌクレオチドが、約2〜約4個のグアノシンに富む配列を含む、請求項8記載の薬学的組成物。
【請求項１０】
オリゴデオキシヌクレオチドが、少なくとも1つのTTAGGGモチーフを含む、請求項1記載の薬学的組成物。
【請求項１１】
オリゴデオキシヌクレオチドが、複数のTTAGGGのモチーフを含む、請求項１０記載の薬学的組成物。
【請求項１２】
オリゴデオキシヌクレオチドが、約2〜約20個のTTAGGGモチーフを含む、請求項１１記載の薬学的組成物。
【請求項１３】
オリゴデオキシヌクレオチドが、約2〜約4個のTTAGGGのモチーフを含む、請求項12記載の薬学的組成物。
【請求項１４】
オリゴデオキシヌクレオチドが、SEQ ID NO：1〜25のいずれか1つに記載の配列を含む、請求項1記載の薬学的組成物。
【請求項１５】
炎症性プロセスが、ブドウ膜炎を含む、請求項1記載の薬学的組成物。
【請求項１６】
ブドウ膜炎が、前部または後部ブドウ膜炎を含む、請求項15記載の薬学的組成物。
【請求項１７】
ブドウ膜炎が、びまん性ブドウ膜炎を含む、請求項15記載の薬学的組成物。
【請求項１８】
ブドウ膜炎が、少なくとも1つの毛様体炎、扁平部炎、脈絡網膜炎（脈絡膜の炎症）、虹彩毛様体炎、または虹彩炎を含む、請求項15記載の薬学的組成物。
【請求項１９】
抗炎症薬の治療上有効量をさらに含む、請求項1記載の薬学的組成物。
【請求項２０】
非ヌクレオチド免疫抑制剤の治療上有効量をさらに含む、請求項1記載の薬学的組成物。
【請求項２１】
抗菌薬または抗真菌薬の治療上有効量をさらに含む、請求項1記載の薬学的組成物。
【請求項２２】
ブドウ膜炎が、眼に対する外科的傷害または外傷性傷害の結果である、請求項１５記載の薬学的組成物。
【請求項２３】
ブドウ膜炎が、自己免疫疾患の結果である、請求項１５記載の薬学的組成物。
【請求項２４】
被験体が、リウマチ様関節炎、ベシェ病、強直性脊椎炎、またはサルコイドーシスを有する、請求項23記載の薬学的組成物。
【請求項２５】
被験体が、免疫を媒介した孤立性の（isolated）眼障害を有する、請求項1記載の薬学的組成物。
【請求項２６】
被験体が、扁平部炎または虹彩毛様体炎を有する、請求項25記載の薬学的組成物。
【請求項２７】
被験体が、フォークト-小柳-原田症候群、散弾網脈絡膜症または交感性眼炎を有する、請求項1記載の薬学的組成物。
【請求項２８】
ブドウ膜炎が、感染の結果である、請求項１５記載の薬学的組成物。
【請求項２９】
炎症性プロセスが、ブドウ膜炎を含み、眼に対して投与される、請求項1記載の薬学的組成物。
【請求項３０】
局所的に投与される、請求項29記載の薬学的組成物。
【請求項３１】
硝子体内投与される、請求項29記載の薬学的組成物。
【請求項３２】
移植により投与される、請求項29記載の薬学的組成物。
【請求項３３】
少なくとも約8ヌクレオチドの長さのオリゴデオキシヌクレオチドの治療上有効量を含む眼内インプラントであって、オリゴデオキシヌクレオチドが、G-四分子を形成し、オリゴデオキシヌクレオチドが、約2.9を超えるCD値を有し、かつオリゴヌクレオチドが、眼の移植のために製剤化された少なくとも2つのグアノシンを含む眼内インプラント。
【請求項３４】
さらなる抗炎症薬の治療上有効量をさらに含む、請求項33記載の眼内インプラント。
【請求項３５】
さらなる免疫抑制剤の治療上有効量をさらに含む、請求項33記載の眼内インプラント。
【請求項３６】
抗菌薬または抗真菌薬の治療上有効量をさらに含む、請求項33記載の眼内インプラント。
【手続補正書】
【提出日】平成20年1月11日(2008.1.11)
【手続補正１】
【補正対象書類名】明細書
【補正対象項目名】００９０
【補正方法】変更
【補正の内容】
【００９０】
図２９は、ＣＰＢ２時間後の尿ＮＧＡＬ濃度とＣＰＢ時間との相関を示す。
配列表の簡単な説明
本明細書に添付の配列表を、本発明の原理を説明するために引用し、本明細書の一部とする。
配列番号１はマウスＧＡＬ  ｍＲＮＡ（Genbank NM_008491）のプライマー配列（フォワードプライマー、９３−１１２位）である。
配列番号２はマウスＧＡＬ  ｍＲＮＡ（Genbank NM_008491）のプライマー配列（リバース、５７６−５５７位）である。
配列番号３はマウスβアクチンｍＲＮＡ（Genbank X03672）の配列（フォワード、４１５−４３４位）の例である。
配列番号４はマウスβアクチンｍＲＮＡ（Genbank X03672）の配列（リバース、６９６−６７７位）の例である。
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
脂質代謝を調節する作用を有するが、ＩＧＦ−１にそれほど影響がない治療上の有効量のペプチドを哺乳類に投与することを特徴とする哺乳類において骨障害を予防または治療する方法。
【請求項２】
該ペプチドがヒト成長ホルモン配列の１７７−１９１番目のアミノ酸残基またはその機能的なアナログまたはバリアントである、請求項１に記載の方法。
【請求項３】
該ペプチドが脂質合成活性を減少することができ；および／または脂肪分解を刺激することができる請求項１または請求項２に記載の方法。
【請求項４】
該ペプチドが少なくとも哺乳類の成長ホルモンのジスルフィド結合したループを含む、請求項１〜３のいずれかに記載の方法。
【請求項５】
該ペプチドが配列：
【化１】
2007536282.tif 000001
から選択される、請求項１〜４のいずれかに記載の方法。
【請求項６】
該ペプチドがヒト成長ホルモンの１８２−１８９番目のアミノ酸（ｈＧＨ１８２−１８９）を含む、請求項１または請求項２に記載の方法。
【請求項７】
該ペプチドがヒト成長ホルモンの１７７−１９１番目のアミノ酸（ｈＧＨ１７７−１９１）を含む、請求項１または請求項２に記載の方法。
【請求項８】
該ペプチドがＴｙｒ−ｈＧＨの１７７−１９１番目であって、該配列が、Tyr Leu Arg Ile Val Gln Cys Arg Ser Val Glu Gly Ser Cys Gly Pheを有する、請求項１または請求項２に記載の方法。
【請求項９】
該ペプチドが融合パートナーと共役する、請求項１〜８のいずれかに記載の方法。
【請求項１０】
該ペプチドが医薬組成物として投与される、請求項１〜９のいずれかに記載の方法。
【請求項１１】
該医薬組成物が医薬的に許容される担体を含む、請求項１０に記載の方法。
【請求項１２】
該医薬組成物がさらに骨障害に対して活性なさらなる薬剤を含む、請求項１０または請求項１１に記載の方法。
【請求項１３】
該さらなる活性な薬剤が、１またはそれ以上のカルシウム、骨塩、γ−リノレン酸、ビタミンＤ、ビタミンＫ、エストロゲン、エストロゲン様化合物、ビホスフェートおよびイソフラボンから選択される、請求項１２に記載の方法。
【請求項１４】
該組成物がエネルギー源をさらに含む、請求項１２または請求項１３に記載の方法。
【請求項１５】
該ペプチドが経口、舌下、口腔、鼻腔内、吸入によって、経皮、局所、または非経口的に投与され、皮下、静脈内、筋肉内、髄腔内、頭蓋内、注射または注入技術によって投与される、請求項１〜１４のいずれかに記載の方法。
【請求項１６】
該ペプチドが遺伝子組み換え食物の形態において経口投与される、請求項１〜１４のいずれか一つに記載の方法。
【請求項１７】
該骨障害が骨代謝変化によって特徴付けられる、請求項１〜１６に記載のいずれかの方法。
【請求項１８】
該骨障害が閉経後骨粗鬆症、骨減少症、パジェット病、癌患者における溶骨性転移、肝臓疾患における骨形成異常、および腎不全または血液透析、骨折、骨の手術、老化、妊娠、および栄養失調によって引き起こされる骨代謝変化を含む、骨粗鬆症から選択される請求項１７に記載の方法。
【請求項１９】
該哺乳類がまた、成長ホルモン欠乏でもある、請求項１〜１８のいずれかに記載の方法。
【請求項２０】
該哺乳類がヒトである、請求項１〜１９のいずれかに記載の方法。
【請求項２１】
哺乳類における、骨障害の治療または予防における使用のための医薬品製造におけるＣ末端成長ホルモンフラグメントの使用。
【請求項２２】
該医薬品がまた、骨障害に対して活性なさらなる薬剤もさらに含む、請求項２１に記載の使用。
【請求項２３】
該さらなる活性化剤が１またはそれ以上のカルシウム、骨塩、γ−リノレン酸、ビタミンＤ、ビタミンＫ、エストロゲン、エストロゲン様化合物、ビホスフェートおよびイソフラボンから選択される、請求項２２に記載の方法。
【請求項２４】
該組成物がエネルギー源をさらに含む、請求項１２または請求項１３に記載の方法。
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2007536285.tif 000001
式中、Ｒ１およびＲ２は、独立して水素またはＣＨ３であり；
ｎは、０または１であり；また
ｍは、０または１である、
で表される化合物。
【請求項２】
２−（３，３−ジメチルシクロヘキシル）プロピオン酸エトキシカルボニルメチルエステル、
１，５，５−トリメチルスピロ［２．５］オクタン−１−カルボン酸エトキシカルボニルメチルエステル、
２−（３，３−ジメチルシクロヘキシル）プロピオン酸シクロプロポキシカルボニルメチルエステル、
２−（３−メチルシクロヘキシル）プロピオン酸エトキシカルボニルメチルエステル、
２−（３−メチルシクロヘキシル）プロピオン酸シクロプロポキシカルボニルメチルエステル、
２−シクロヘキシル−プロピオン酸エトキシカルボニルメチルエステル、
２−シクロヘキシルプロピオン酸シクロプロポキシカルボニルメチルエステル、
１，５，５−トリメチルスピロ［２．５］オクタン−１−カルボン酸シクロプロポキシカルボニルメチルエステル、
１，５−ジメチルスピロ［２．５］オクタン−１−カルボン酸エトキシカルボニルメチルエステル、
１，５−ジメチルスピロ［２．５］オクタン−１−カルボン酸シクロプロポキシカルボニルメチルエステル、
１−メチルスピロ［２．５］オクタン−１−カルボン酸エトキシカルボニルメチルエステルおよび
１−メチルスピロ［２．５］オクタン−１−カルボン酸シクロプロポキシカルボニルメチルエステル
からなる群から選択される、請求項１に記載の化合物。
【請求項３】
請求項１または２において定義した式（Ｉ）で表される化合物を含む、風味剤または芳香組成物。
【手続補正書】
【提出日】平成20年4月25日(2008.4.25)
【手続補正１】
【補正対象書類名】特許請求の範囲
【補正対象項目名】請求項１
【補正方法】変更
【補正の内容】
【請求項１】
ストロンチウムイオンと少なくとも一つのカルボン酸基を含有する有機酸のモル比が１：１〜１.２：１の範囲であり、前記ストロンチウムイオンのヒドロキシド塩および／またはハロゲン塩の少なくとも１つと、前記有機酸（アニオン）とを水性媒体中で約９０℃以上、例えば約１００℃以上、１２０℃以上、または約１２５℃以上の温度で、長くて約６０分間、例えば、長くて約３０分間または長くて約２０分間、例えば約１５分間反応させる工程を含む、少なくとも一つのカルボン酸基を含有する有機酸のストロンチウム塩を調製するための方法。
【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】
15Ｏ標識モノサッカリドであって、該モノサッカリド分子中のヒドロキシメチル基が15Ｏで標識されている、15Ｏ標識モノサッカリド。
【請求項２】
前記モノサッカリドがヘキソースまたはペントースである、請求項１に記載の15Ｏ標識モノサッカリド。
【請求項３】
前記モノサッカリドがＤ−グルコースまたは２−デオキシ−Ｄ−グルコースである、請求項１に記載の15Ｏ標識モノサッカリド。
【請求項４】
15Ｏ標識モノサッカリドを製造するための方法であって、該方法は、そのモノサッカリド分子中のヒドロキシメチル基のヒドロキシルがハロゲンで置換されているモノサッカリドを、有機スズ化合物および還元剤の存在下で15Ｏ酸素と反応させる工程を包含し、ここで、該反応は、ラジカル開始剤の非存在下または該ハロゲン化モノサッカリドベースで０．３当量以下のラジカル開始剤の存在下で行い、そのモノサッカリド分子中のヒドロキシメチル基が15Ｏで標識されている15Ｏ標識モノサッカリドが提供される、方法。
【請求項５】
前記モノサッカリドがヘキソースまたはペントースである、請求項４に記載の方法。
【請求項６】
前記モノサッカリドがＤ−グルコースまたは２−デオキシ−Ｄ−グルコースである、請求項５に記載の方法。
【請求項７】
前記ハロゲンがヨードである、請求項４に記載の方法。
【請求項８】
前記有機スズ化合物の量が前記ハロゲン化モノサッカリドベースで２．０〜５．０当量である、請求項４に記載の方法。
【請求項９】
前記有機スズ化合物が有機スズヒドリドである、請求項４に記載の方法。
【請求項１０】
前記有機スズ化合物がトリアルキルスズヒドリドである、請求項９に記載の方法。
【請求項１１】
前記還元剤がホスフィンである、請求項４に記載の方法。
【請求項１２】
前記還元剤がトリフェニルホスフィンである、請求項１１に記載の方法。
【請求項１３】
前記反応工程において、15Ｏ酸素の導入前に、16Ｏ2を含むガスを該反応中に導入して、ラジカル反応を開始させる、請求項４に記載の方法。
【請求項１４】
前記ガス中の16Ｏ2の量が少なくとも１．５％である、請求項１３に記載の方法。
【請求項１５】
請求項１〜３のいずれか１項に記載の15Ｏ標識モノサッカリドを被験体に投与し、該被験体中の15Ｏ標識モノサッカリドの代謝を測定する工程を包含する被験体の全身、器官または組織の診断用薬剤の製造のための、請求項１〜３のいずれか１項に記載の15Ｏ標識モノサッカリドの使用。
【請求項１６】
前記測定が陽電子放出断層撮像法によって行われる、請求項１５に記載の使用。
【請求項１７】
前記器官が脳または心臓である、請求項１５に記載の使用。
【請求項１８】
前記組織が腫瘍組織である、請求項１５に記載の使用。
【請求項１９】
前記15Ｏ標識モノサッカリドの代謝の日内変動が経時的に前記被験体において測定される、請求項１５に記載の使用。
【請求項２０】
15Ｏ標識モノサッカリドを製造するためのキットであって、該キットは、そのモノサッカリド分子中のヒドロキシメチル基のヒドロキシルがハロゲンで置換されているモノサッカリド、有機スズ化合物および還元剤を備え、該キットは、該有機スズおよび還元剤の存在下で該ハロゲン化モノサッカリドを15Ｏ酸素と反応させて、そのモノサッカリド分子中のヒドロキシメチル基が15Ｏで標識されている15Ｏ標識モノサッカリドを製造するために使用される、キット。
【請求項２１】
前記モノサッカリドがヘキソースまたはペントースである、請求項２０に記載のキット。
【請求項２２】
前記モノサッカリドがＤ−グルコースまたは２−デオキシ−Ｄ−グルコースである、請求項２１に記載のキット。
【請求項２３】
前記ハロゲンがヨードである、請求項２０に記載のキット。
【請求項２４】
前記有機スズ化合物の量が前記ハロゲン化モノサッカリドベースで２．０〜５．０当量である、請求項２０に記載のキット。
【請求項２５】
前記有機スズ化合物が有機スズヒドリドである、請求項２０に記載のキット。
【請求項２６】
前記有機スズ化合物がトリアルキルスズヒドリドである、請求項２５に記載のキット。
【請求項２７】
前記還元剤がホスフィンである、請求項２０に記載のキット。
【請求項２８】
前記還元剤がトリフェニルホスフィンである、請求項２７に記載のキット。
【請求項２９】
前記ハロゲン化モノサッカリドベースで０．３当量以下のラジカル開始剤をさらに備える、請求項２０に記載のキット。
【請求項３０】
請求項２０に記載のキットであって、該キットは反応容器をさらに備え、該容器中で前記反応を行って15Ｏ標識モノサッカリドを製造し得る、キット。
【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
ヒト又は動物の眼の少なくとも一つの強膜穿通導管に薬剤を適用して、前記導管を薬剤で充填して増大した眼圧を治療する薬剤の製造のための粘弾性媒体の使用。
【請求項２】
前記の少なくとも一つの強膜穿通導管が、前記眼の強角膜縁の遠位の位置と前眼房との間に延びている、請求項１に記載の使用。
【請求項３】
前記の少なくとも一つの強膜穿通導管が、前記眼の強角膜縁の遠位の位置と後眼房との間に延びている、請求項１に記載の使用。
【請求項４】
前記の少なくとも一つの強膜穿通導管が、前記眼の強角膜縁の遠位の位置と硝子体との間に延びている、請求項１に記載の使用。
【請求項５】
粘弾性媒体が、安定化多糖類及びそれらの誘導体を含む媒体から成る群から選択される、請求項１乃至４のいずれか一つの請求項に記載の使用。
【請求項６】
粘弾性媒体が、安定化グリコサミノグリカン類及びそれらの誘導体を含む媒体から選択される、請求項５に記載の使用。
【請求項７】
粘弾性媒体が、安定化ヒアルロン酸、安定化硫酸コンドロイチン、安定化ヘパリン及びそれらの誘導体を含む媒体から成る群から選択される、請求項６に記載の使用。
【請求項８】
粘弾性媒体が、架橋されたヒアルロン酸及びその誘導体を含む媒体から成る群から選択される、請求項７に記載の使用。
【請求項９】
粘弾性媒体がゲル粒子として存在する、請求項１乃至８のいずれか一つの請求項に記載の使用。
【請求項１０】
前記薬剤がヒト又は動物の眼における、緑内障の治療用である、請求項１乃至９のいずれか一つの請求項に記載の使用。
【請求項１１】
（ｉ）動物の眼における少なくとも一つの強膜穿通導管を粘弾性媒体で充填するように前記導管に前記媒体を注入する工程
を含む、治療を必要としている動物の眼における、増大した眼圧を治療する方法。
【請求項１２】
（ｉ）動物の眼において少なくとも一つの強膜穿通導管を形成する工程及び
（ｉｉ）前記の少なくとも一つの強膜穿通導管を粘弾性媒体で充填するように前記導管に前記媒体を注入する工程
を含む、治療を必要としている動物の眼における、増大した眼圧を治療する方法。
【請求項１３】
前記の少なくとも一つの強膜穿通導管が、前記眼の強角膜縁の遠位の位置と前眼房との間に延びている、請求項１１又は請求項１２に記載の方法。
【請求項１４】
前記の少なくとも一つの強膜穿通導管が、前記眼の強角膜縁の遠位の位置と後眼房との間に延びている、請求項１１又は請求項１２に記載の方法。
【請求項１５】
前記の少なくとも一つの強膜穿通導管が、前記眼の強角膜縁の遠位の位置と硝子体との間に延びている、請求項１１又は請求項１２に記載の方法。
【請求項１６】
粘弾性媒体が、安定化多糖類及びそれらの誘導体を含む媒体から成る群から選択される、請求項１１乃至１５のいずれか一つの請求項に記載の方法。
【請求項１７】
粘弾性媒体が、安定化グリコサミノグリカン類及びそれらの誘導体を含む媒体から選択される、請求項１６に記載の方法。
【請求項１８】
粘弾性媒体が、安定化ヒアルロン酸、安定化硫酸コンドロイチン、安定化ヘパリン及びそれらの誘導体を含む媒体から成る群から選択される、請求項１７に記載の方法。
【請求項１９】
粘弾性媒体が、架橋されたヒアルロン酸及びその誘導体を含む媒体から成る群から選択される、請求項１８に記載の方法。
【請求項２０】
粘弾性媒体がゲル粒子として存在する、請求項１１乃至１９のいずれか一つの請求項に記載の方法。
【請求項２１】
工程（ｉｉ）の前記媒体の前記注入が、工程（ｉ）の工程の少なくとも一つの強膜穿通導管の形成の直後に行われる、請求項１２乃至２０のいずれか一つの請求項に記載の方法。
【請求項２２】
動物の眼における緑内障の治療用の請求項１１乃至２１のいずれか一つの請求項に記載の方法。